【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を測定する工程と、
前記γ線の検出信号に基づいて、γ線のエネルギを決定する工程と、
前記センサに検出された同時計数の対象となる最初のγ線と次のγ線のそれぞれの前記決定されたエネルギの差を算出する工程と、
前記エネルギの差に基づいて時間窓を設定する工程と、
前記最初のγ線の前記測定された検出時刻と、前記次のγ線の前記測定された検出時刻の差を算出する工程と、
前記設定された時間窓の広さと、前記検出時刻の差とを比較して同時計数を行う工程とを有するγ線の同時計数方法。
【請求項２】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を決定する工程と、
前記γ線の検出信号に基づいて、γ線のエネルギを決定する工程と、
前記センサに検出された同時計数の対象となる最初のγ線と次のγ線のそれぞれの前記決定されたエネルギの差を算出する工程と、
前記エネルギの差に基づいて時間窓を設定する工程と、
前記最初のγ線の前記決定された検出時刻と、前記次のγ線の前記決定された検出時刻の差を算出する工程と、
前記設定された時間窓の広さと、前記検出時刻の差とを比較して同時計数を行う工程とを有するγ線の同時計数方法。
【請求項３】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を測定する工程と、
前記γ線の検出信号に基づいて、γ線のエネルギを決定する工程と、
前記センサに検出された同時計数の対象となる最初のγ線と次のγ線のそれぞれの前記決定されたエネルギの差を算出する工程と、
前記エネルギの差に基づいて時間窓の広さを補正する工程と、
前記最初のγ線の前記測定された検出時刻と、前記次のγ線の前記測定された検出時刻の差を算出する工程と、
前記補正された時間窓の広さと、前記検出時刻の差とを比較して同時計数を行う工程とを有するγ線の同時計数方法。
【請求項４】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を決定する工程と、
前記γ線の検出信号に基づいて、γ線のエネルギを決定する工程と、
前記センサに検出された同時計数の対象となる最初のγ線と次のγ線のそれぞれの前記決定されたエネルギの差を算出する工程と、
前記エネルギの差に基づいて時間窓の広さを補正する工程と、
前記最初のγ線の前記決定された検出時刻と、前記次のγ線の前記決定された検出時刻の差を算出する工程と、
前記補正された時間窓の広さと、前記検出時刻の差とを比較して同時計数を行う工程とを有するγ線の同時計数方法。
【請求項５】
前記γ線の同時計数を行う工程は、
前記検出時刻の差が、前記時間窓を設定する工程によって設定された時間窓の広さより小さいときに、同時と判定することである請求項１または請求項２に記載のγ線の同時計数方法。
【請求項６】
前記γ線の同時計数を行う工程は、
前記検出時刻の差が、前記時間窓を補正する工程によって補正された時間窓の広さより小さいときに、同時と判定することである請求項３または請求項４に記載のγ線の同時計数方法。
【請求項７】
前記エネルギの差と、前記時間窓の広さとの関係は、前記エネルギの差が大きいほど前記時間窓の広さが広くなるように関係付けられていることを特徴とする請求項１、請求項２、請求項５のいずれか１項に記載のγ線の同時計数方法。
【請求項８】
前記エネルギの差と、前記時間窓の補正値との関係は、前記エネルギの差が大きいほど前記時間窓の補正値の大きさが大きくなるように関係付けられていることを特徴とする請求項３、請求項４、請求項６のいずれか１項に記載のγ線の同時計数方法。
【請求項９】
前記センサに検出されたγ線の前記検出時刻と前記エネルギに基づいて、検出されたγ線を散乱線として同時計数の対象とするか否かを判断し、前記同時計数を行うこと、
を特徴とする請求項１から請求項８のいずれか１項に記載のγ線の同時計数方法。
【請求項１０】
前記センサに検出されたγ線の前記エネルギが、所定の閾値以下の場合は、当該γ線を同時計数の対象から除いて前記同時計数を行う請求項１から請求項８のいずれか１項に記載の同時計数方法。
【請求項１１】
γ線を検出する複数のセンサと、
前記センサから出力されるγ線の検出信号に基づいて、γ線の検出時刻を測定する手段と、
前記γ線の検出信号に基づいて、γ線のエネルギを決定する手段と、
前記センサに検出された同時計数の対象となる最初のγ線と次のγ線のそれぞれの前記測定されたエネルギの差に基づいて時間窓を設定し、
前記最初のγ線の前記測定された検出時刻と前記次のγ線の前記測定された検出時刻との差を、前記設定された時間窓の広さと比較して同時計数を行う手段と、
を備える核医学診断装置。
【請求項１２】
γ線を検出する複数のセンサと、
前記センサから出力されるγ線の検出信号に基づいて、γ線の検出時刻を決定する手段と、
前記γ線の検出信号に基づいて、γ線のエネルギを決定する手段と、
前記センサに検出された同時計数の対象となる最初のγ線と次のγ線のそれぞれの前記決定されたエネルギの差に基づいて時間窓を設定し、
前記最初のγ線の前記決定された検出時刻と前記次のγ線の前記決定された検出時刻との差を、前記設定された時間窓の広さと比較して同時計数を行う手段と、
を備える核医学診断装置。
【請求項１３】
γ線を検出する複数のセンサと、
前記センサから出力されるγ線の検出信号に基づいて、γ線の検出時刻を測定する手段と、
前記γ線の検出信号に基づいて、γ線のエネルギを決定する手段と、
前記センサに検出された同時計数の対象となる最初のγ線と次のγ線のそれぞれの前記決定されたエネルギの差に基づいて時間窓の広さを補正し、
前記最初のγ線の前記測定された検出時刻と前記次のγ線の前記測定された検出時刻との差を、前記補正された時間窓の広さと比較して同時計数を行う手段と、
を備える核医学診断装置。
【請求項１４】
γ線を検出する複数のセンサと、
前記センサから出力されるγ線の検出信号に基づいて、γ線の検出時刻を決定する手段と、
前記γ線の検出信号に基づいて、γ線のエネルギを決定する手段と、
前記センサに検出された同時計数の対象となる最初のγ線と次のγ線のそれぞれの前記決定されたエネルギの差に基づいて時間窓の広さを補正し、
前記最初のγ線の前記決定された検出時刻と前記次のγ線の前記決定された検出時刻との差を、前記補正された時間窓の広さと比較して同時計数を行う手段と、
を備える核医学診断装置。
【請求項１５】
前記同時計数を行う手段は、
前記検出時刻の差が、前記設定された時間窓の広さより小さいときに、同時と判定して同時計数を行う手段である請求項１１または請求項１２に記載の核医学診断装置。
【請求項１６】
前記同時計数を行う手段は、
前記検出時刻の差が、前記補正された時間窓の広さより小さいときに、同時と判定して同時計数を行う手段である請求項１３または請求項１４に記載の核医学診断装置。
【請求項１７】
前記エネルギの差と、前記時間窓の広さとの関係は、前記エネルギの差が大きいほど前記時間窓の広さが広くなるように関係付けられていることを特徴とする請求項１１、請求項１２、請求項１５のいずれか１項に記載の核医学診断装置。
【請求項１８】
前記エネルギの差と、前記時間窓の補正値との関係は、前記エネルギの差が大きいほど前記時間窓の補正値の大きさが大きくなるように関係付けられていることを特徴とする請求項１３、請求項１４、請求項１６のいずれか１項に記載のγ線の核医学診断装置。
【請求項１９】
前記センサに検出されたγ線の前記検出時刻と前記エネルギに基づいて、検出されたγ線を散乱線として同時計数の対象とするか否かを判断する手段を
を備える請求項１１から請求項１８のいずれか１項に記載の核医学診断装置。
【請求項２０】
前記センサに検出されたγ線の前記エネルギが、所定の閾値以下の場合は、当該γ線を同時計数の対象から除く手段を備える請求項１１から請求項１８のいずれか１項に記載の核医学診断装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
前記課題を解決した本発明は、γ線を検出するセンサから出力されるγ線の検出信号に基づいて、γ線の検出時刻を測定する工程と、前記γ線の検出信号に基づいて、γ線のエネルギを決定する工程と、γ線の検出信号に基づいて、γ線のエネルギを決定する工程と、センサに検出された同時計数の対象となる最初のγ線と次のγ線のそれぞれの決定されたエネルギの差を算出する工程と、エネルギの差に基づいて時間窓を設定する工程と、最初のγ線の測定された検出時刻と次のγ線の測定された検出時刻の差を算出する工程と、設定された時間窓の広さと、検出時刻の差と、を比較して同時計数を行う工程とを有することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明によれば、次のような顕著な効果を奏することができる。
すなわち、本発明によれば、検出したγ線のエネルギの差に応じて時間窓を設定するので、幅広いエネルギ範囲のγ線を対象としても、同時計数を正しく行うことができる。また、例えば時間窓を広い値のまま一定にする場合に比べて、偶発的に検出される他のγ線の影響を極力排除することが可能になる。